(57)【要約】【課題】大画面装置の近傍に位置するユーザに対し、当該大画面装置の一部の領域を貸し出す。【解決手段】サーバ（１）は、大画面装置（１００）の占有領域に表示させるコンテンツを端末装置（５０）から取得する編集情報取得部（２３）と、上記占有領域に上記コンテンツを表示させる占有領域更新部（３４）と、上記表示装置（５０）の近傍でのみ取得可能な通信アドレスを用いた端末装置（５０）からの通信によって、端末装置（５０）と上記占有領域とを紐付ける占有領域・時間登録部（２２）を備えている。【選択図】図１
2014075092.tif 000002
【特許請求の範囲】
【請求項１】
画面管理装置の管理の下に、表示装置が有する表示画面の一部領域である占有領域の表示内容を、端末装置の指示に従って変更可能な画像表示システムを構成する画面管理装置であって、
上記表示装置の上記占有領域に表示させるコンテンツの内容を規定するコンテンツ情報を、上記占有領域に紐付けられた上記端末装置あるいはユーザが操作する上記端末装置から取得するコンテンツ情報取得手段と、
上記コンテンツ情報取得手段によって取得された上記コンテンツ情報に従って、上記占有領域に上記コンテンツを表示させる画面更新手段とを備えるとともに、
上記表示装置の近傍でのみ取得可能なアクセス情報に含まれ、かつ、取得から所定の期間だけ利用可能な初期通信アドレスを用いた上記端末装置からの通信によって、上記端末装置あるいは該端末装置のユーザと上記占有領域とを紐付ける登録手段を備えていることを特徴とする画面管理装置。
【請求項２】
上記端末装置からの通信を許可する上記初期通信アドレスを定期的に変更する通信アドレス変更手段と、
上記通信アドレス変更手段が上記初期通信アドレスを変更したとき、上記表示装置に近傍の上記端末装置に供給させるための上記アクセス情報を、変更後の上記初期通信アドレスを含めて生成するアクセス情報生成手段とをさらに備えていることを特徴とする請求項１に記載の画面管理装置。
【請求項３】
上記コンテンツ情報取得手段は、編集用通信アドレスを用いた上記端末装置からの通信によって、上記端末装置から上記コンテンツ情報を取得するものであって、
上記登録手段によって、上記端末装置あるいは該端末装置のユーザと上記占有領域とが紐付けられた後、上記初期通信アドレスよりも利用可能な期間が長い上記編集用通信アドレスを上記端末装置へ送信するアドレス情報送信手段をさらに備えていることを特徴とする請求項１または２に記載の画面管理装置。
【請求項４】
上記登録手段は、上記占有領域を占有して使用できる占有時間を、上記端末装置あるいは該端末装置のユーザと上記占有領域とに紐付けるものであることを特徴とする請求項１から３のいずれか１項に記載の画面管理装置。
【請求項５】
上記占有領域の大きさおよび上記占有時間の長さの少なくとも一方に応じて、上記端末装置のユーザに対して課金する課金処理手段をさらに備えていることを特徴とする請求項４に記載の画面管理装置。
【請求項６】
画面管理装置の管理の下に、表示装置が有する表示画面の一部領域である占有領域の表示内容を、端末装置の指示に従って変更可能な画像表示システムを構成する表示装置であって、
上記画面管理装置から送信されたコンテンツを取得し、上記端末装置あるいは該端末装置のユーザと紐付けされている上記占有領域に上記コンテンツを表示する占有領域表示手段を備えるとともに、
上記端末装置が取得から所定の期間だけ利用可能な初期通信アドレスであって、該初期通信アドレスを上記端末装置が用いて上記画面管理装置と通信することによって、上記画面管理装置に上記端末装置あるいは該端末装置のユーザと上記占有領域とを紐付けさせることが可能な初期通信アドレスを含むアクセス情報を、自表示装置の近傍にある上記端末装置のみが取得可能なように供給するアクセス情報供給手段を備えていることを特徴とする表示装置。
【請求項７】
上記アクセス情報供給手段は、上記アクセス情報を表示画面に表示することを特徴とする請求項６に記載の表示装置。
【請求項８】
画面管理装置の管理の下に、表示装置が有する表示画面の一部領域である占有領域の表示内容を、端末装置の指示に従って変更可能な画像表示システムを構成する端末装置であって、
上記表示装置の上記占有領域に表示させるコンテンツの内容を規定するコンテンツ情報を、上記画面管理装置に送信するコンテンツ情報送信手段を備えるとともに、
上記表示装置の近傍のみで取得可能なように供給されている、取得から所定の期間だけ利用可能な初期通信アドレスを含むアクセス情報を取得するアクセス情報取得手段と、
上記初期通信アドレスを用いて上記画面管理装置と通信することによって、上記画面管理装置に自端末装置あるいは自端末装置のユーザと上記占有領域とを紐付けさせる登録依頼手段とを備えていることを特徴とする端末装置。
【請求項９】
請求項１から５のいずれか１項に記載の画面管理装置と、
請求項６または７に記載の表示装置と、
請求項８に記載の端末装置とを備えて構成される画像表示システム。
【請求項１０】
画面管理装置の管理の下に、表示装置が有する表示画面の一部領域である占有領域の表示内容を、端末装置の指示に従って変更可能な画像表示システムを構成する画面管理装置の制御方法であって、
上記表示装置の近傍でのみ取得可能なアクセス情報に含まれ、かつ、取得から所定の期間だけ利用可能な初期通信アドレスを用いた上記端末装置からの通信によって、上記端末装置あるいは該端末装置のユーザと上記占有領域とを紐付ける登録ステップと、
上記表示装置の上記占有領域に表示させるコンテンツの内容を規定するコンテンツ情報を、上記占有領域に紐付けられた上記端末装置あるいはユーザが操作する上記端末装置から取得するコンテンツ情報取得ステップと、
上記コンテンツ情報取得ステップによって取得された上記コンテンツ情報に従って、上記占有領域に上記コンテンツを表示させる画面更新ステップと、を含むことを特徴とする画面管理装置の制御方法。
【請求項１１】
画面管理装置の管理の下に、表示装置が有する表示画面の一部領域である占有領域の表示内容を、端末装置の指示に従って変更可能な画像表示システムを構成する表示装置の制御方法であって、
上記端末装置が取得から所定の期間だけ利用可能な初期通信アドレスであって、該初期通信アドレスを上記端末装置が用いて上記画面管理装置と通信することによって、上記画面管理装置に上記端末装置あるいは該端末装置のユーザと上記占有領域とを紐付けさせることが可能な初期通信アドレスを含むアクセス情報を、自表示装置の近傍にある上記端末装置のみが取得可能なように供給するアクセス情報供給ステップと、
上記画面管理装置から送信されたコンテンツを取得し、上記端末装置あるいは該端末装置のユーザと紐付けされている上記占有領域に上記コンテンツを表示する占有領域表示ステップと、を含むことを特徴とする表示装置の制御方法。
【請求項１２】
画面管理装置の管理の下に、表示装置が有する表示画面の一部領域である占有領域の表示内容を、端末装置の指示に従って変更可能な画像表示システムを構成する端末装置の制御方法であって、
上記表示装置の近傍のみで取得可能なように供給されている、取得から所定の期間だけ利用可能な初期通信アドレスを含むアクセス情報を取得するアクセス情報取得ステップと、
上記初期通信アドレスを用いて上記画面管理装置と通信することによって、上記画面管理装置に自端末装置あるいは自端末装置のユーザと上記占有領域とを紐付けさせる登録依頼ステップと、
上記表示装置の上記占有領域に表示させるコンテンツの内容を規定するコンテンツ情報を、上記画面管理装置に送信するコンテンツ情報送信ステップと、を含むことを特徴とする端末装置の制御方法。
【請求項１３】
請求項１から５のいずれか１項に記載の画面管理装置としてコンピュータを機能させるための制御プログラム、請求項６または７に記載の表示装置としてコンピュータを機能させるための制御プログラム、および、請求項８に記載の端末装置としてコンピュータを機能させるための制御プログラムの少なくとも１つの制御プログラムであって、コンピュータを上記各手段として機能させるための制御プログラム。
【請求項１４】
請求項１３に記載の制御プログラムを記録したコンピュータ読み取り可能な記録媒体。
【発明の詳細な説明】
【技術分野】
【０００１】
本発明は、表示装置の画面を管理する画面管理装置等に関する。
【背景技術】
【０００２】
所持する端末装置を用いて、ユーザが大画面装置に表示される対象を操作する発明としては、特許文献１および特許文献２が挙げられる。
【０００３】
特許文献１には、コンテンツ表示アプリが、枠内に表示したコンテンツに対してコマンド操作を受け付けるコンテンツ利用ウィンドウを携帯電話毎に割り当て、コンテンツ利用を許可した携帯電話に割り当てたコンテンツ利用ウィンドウを大画面装置の表示画面上の最前面に表示し、該最前面のコンテンツ利用ウィンドウ背面に、コンテンツ利用待ちの携帯電話に割り当てたコンテンツ利用ウィンドウをその一部が見えるように重ねて表示する発明について開示されている。
【０００４】
特許文献２には、大表示装置のコンテンツ表示装置が携帯電話から送信された選択情報を受信して、その選択情報が示すコンテンツアイコンを特定する選択アイコンをディスプレイに表示するとともに、そのコンテンツアイコン以外のコンテンツアイコンを特定するダミーアイコンをディスプレイに表示する発明について開示されている。
【先行技術文献】
【特許文献】
【０００５】
【特許文献１】特開２００８−１９１９２９号公報（２００８年８月２１日公開）
【特許文献２】特開２００８−２６９２４３号公報（２００８年１１月６日公開）
【発明の概要】
【発明が解決しようとする課題】
【０００６】
上記特許文献１および上記特許文献２に係る発明は、何れも、ネットワークを介して大画面装置にアクセスすることができる端末装置であれば、大画面装置を利用することができる。そのため、大画面装置が設置されている場所にいないユーザであっても、大画面装置を利用することができる。それゆえ、例えば、大画面装置が設置されている場所にいるユーザに使ってもらいたいというニーズには合っていなかった。
【０００７】
本発明は上記の問題点に鑑みてなされたものであり、その目的は、大画面装置の近傍に位置するユーザに対し、大画面装置の一部の領域を貸し出すことを可能にするシステムを提供することにある。
【課題を解決するための手段】
【０００８】
上記の課題を解決するために、本発明の一態様に係る画面管理装置は、画面管理装置の管理の下に、表示装置が有する表示画面の一部領域である占有領域の表示内容を、端末装置の指示に従って変更可能な画像表示システムを構成する画面管理装置であって、上記表示装置の上記占有領域に表示させるコンテンツの内容を規定するコンテンツ情報を、上記占有領域に紐付けられた上記端末装置あるいはユーザが操作する上記端末装置から取得するコンテンツ情報取得手段と、上記コンテンツ情報取得手段によって取得された上記コンテンツ情報に従って、上記占有領域に上記コンテンツを表示させる画面更新手段とを備えるとともに、上記表示装置の近傍でのみ取得可能なアクセス情報に含まれ、かつ、取得から所定の期間だけ利用可能な初期通信アドレスを用いた上記端末装置からの通信によって、上記端末装置あるいは該端末装置のユーザと上記占有領域とを紐付ける登録手段を備えている。
【０００９】
また、本発明の一態様に係る画面管理装置の制御方法は、画面管理装置の管理の下に、表示装置が有する表示画面の一部領域である占有領域の表示内容を、端末装置の指示に従って変更可能な画像表示システムを構成する画面管理装置の制御方法であって、上記表示装置の近傍でのみ取得可能なアクセス情報に含まれ、かつ、取得から所定の期間だけ利用可能な初期通信アドレスを用いた上記端末装置からの通信によって、上記端末装置あるいは該端末装置のユーザと上記占有領域とを紐付ける登録ステップと、上記表示装置の上記占有領域に表示させるコンテンツの内容を規定するコンテンツ情報を、上記占有領域に紐付けられた上記端末装置あるいはユーザが操作する上記端末装置から取得するコンテンツ情報取得ステップと、上記コンテンツ情報取得ステップによって取得された上記コンテンツ情報に従って、上記占有領域に上記コンテンツを表示させる画面更新ステップと、を含む。
【００１０】
本発明の一態様に係る表示装置は、画面管理装置の管理の下に、表示装置が有する表示画面の一部領域である占有領域の表示内容を、端末装置の指示に従って変更可能な画像表示システムを構成する表示装置であって、上記画面管理装置から送信されたコンテンツを取得し、上記端末装置あるいは該端末装置のユーザと紐付けされている上記占有領域に上記コンテンツを表示する占有領域表示手段を備えるとともに、上記端末装置が取得から所定の期間だけ利用可能な初期通信アドレスであって、該初期通信アドレスを上記端末装置が用いて上記画面管理装置と通信することによって、上記画面管理装置に上記端末装置あるいは該端末装置のユーザと上記占有領域とを紐付けさせることが可能な初期通信アドレスを含むアクセス情報を、自表示装置の近傍にある上記端末装置のみが取得可能なように供給するアクセス情報供給手段を備えている。
【００１１】
また、本発明の一態様に係る表示装置の制御方法は、画面管理装置の管理の下に、表示装置が有する表示画面の一部領域である占有領域の表示内容を、端末装置の指示に従って変更可能な画像表示システムを構成する表示装置の制御方法であって、上記端末装置が取得から所定の期間だけ利用可能な初期通信アドレスであって、該初期通信アドレスを上記端末装置が用いて上記画面管理装置と通信することによって、上記画面管理装置に上記端末装置あるいは該端末装置のユーザと上記占有領域とを紐付けさせることが可能な初期通信アドレスを含むアクセス情報を、自表示装置の近傍にある上記端末装置のみが取得可能なように供給するアクセス情報供給ステップと、上記画面管理装置から送信されたコンテンツを取得し、上記端末装置あるいは該端末装置のユーザと紐付けされている上記占有領域に上記コンテンツを表示する占有領域表示ステップと、を含む。
【００１２】
本発明の一態様に係る端末装置は、画面管理装置の管理の下に、表示装置が有する表示画面の一部領域である占有領域の表示内容を、端末装置の指示に従って変更可能な画像表示システムを構成する端末装置であって、上記表示装置の上記占有領域に表示させるコンテンツの内容を規定するコンテンツ情報を、上記画面管理装置に送信するコンテンツ情報送信手段を備えるとともに、上記表示装置の近傍のみで取得可能なように供給されている、取得から所定の期間だけ利用可能な初期通信アドレスを含むアクセス情報を取得するアクセス情報取得手段と、上記初期通信アドレスを用いて上記画面管理装置と通信することによって、上記画面管理装置に自端末装置あるいは自端末装置のユーザと上記占有領域とを紐付けさせる登録依頼手段とを備えている。
【００１３】
また、本発明の一態様に係る端末装置の制御方法は、画面管理装置の管理の下に、表示装置が有する表示画面の一部領域である占有領域の表示内容を、端末装置の指示に従って変更可能な画像表示システムを構成する端末装置の制御方法であって、上記表示装置の近傍のみで取得可能なように供給されている、取得から所定の期間だけ利用可能な初期通信アドレスを含むアクセス情報を取得するアクセス情報取得ステップと、上記初期通信アドレスを用いて上記画面管理装置と通信することによって、上記画面管理装置に自端末装置あるいは自端末装置のユーザと上記占有領域とを紐付けさせる登録依頼ステップと、上記表示装置の上記占有領域に表示させるコンテンツの内容を規定するコンテンツ情報を、上記画面管理装置に送信するコンテンツ情報送信ステップと、を含む。
【発明の効果】
【００１４】
本発明の一態様によれば、表示装置の近傍に位置するユーザのみを表示装置の一部の領域に紐付けて、ユーザが当該領域に所望のコンテンツを表示できるように、表示装置の一部の領域を貸し出すことが可能になるという効果を奏する。
【図面の簡単な説明】
【００１５】
【図１】本発明の一実施形態に係る大画面管理システムの構成を示す概略ブロック図である。
【図２】上記大画面管理システムの処理の一例を示すシーケンス図である。
【図３】上記大画面管理システムの処理の一例を示すシーケンス図である。
【図４】上記大画面管理システムが含むサーバが備えているデータベースのデータ構造を示すテーブルである。
【図５】上記サーバが提供する大画面貸出サービスの初回登録時における上記端末装置の表示画面の遷移を示す図である。
【図６】上記大画面貸出サービスを利用する端末装置の操作画面の外観を示す図である。
【図７】上記端末装置が大画面装置の占有領域を編集する動作の一例を示す図である。
【図８】上記端末装置が大画面装置の占有領域を編集する動作の一例を示す図である。
【図９】上記端末装置が大画面装置の占有領域を編集する動作の一例を示す図である。
【発明を実施するための形態】
【００１６】
本発明の一実施形態について、図１〜図９に基づいて以下に詳細に説明する。
【００１７】
（大画面管理システム９００の構成）
図１は、本実施形態に係る大画面管理システム９００の構成の概略を示すブロック図である。大画面管理システム９００は、少なくとも、サーバ（画面管理装置）１、端末装置５０、および、大画面装置（表示装置）１００を含んでいる。
【００１８】
大画面装置１００は、サーバ１により制御され、コンテンツを表示する表示装置である。大画面装置１００は、１人のユーザが家庭内で個人的に用いるディスプレイ装置などではなく、典型的には、多くの人が集まる場所に設置され、多くの人が見ることができる装置である。また、大画面装置１００には、サーバ１の通信アドレスを示すＱＲコード（登録商標）が表示されている。
【００１９】
サーバ１は、大画面装置１００の近傍に位置する端末装置５０のユーザに対し、大画面装置１００の表示領域の一部の領域を貸し出すサービス（以下、大画面貸出サービスと称する）を提供するものである。サーバ１は大画面装置１００に物理的に接続されていてもよく、また、大画面装置１００に内蔵されていてもよい。また、サーバ１は、通信ネットワークを介して、端末装置５０および大画面装置１００に接続されている。したがって、サーバ１は、サーバ１の通信アドレスを介して、端末装置５０からのアクセスを受け入れる。
【００２０】
端末装置５０は、典型的には、携帯電話、スマートフォン、タブレットＰＣなどの携帯型の情報処理装置であって、大画面装置１００の近傍に位置する個々のユーザが所有している。また、端末装置５０は、サーバ１の通信アドレスを取得した場合、当該通信アドレスを介して、サーバ１と通信を行う機能を備えている。
【００２１】
このような大画面管理システム９００において、端末装置５０は、上記大画面装置１００に表示されているＱＲコードを端末装置５０を用いて読み取り、当該ＱＲコードが示すサーバ１の通信アドレスを介してサーバ１にアクセスすることにより、上記大画面貸出サービスを利用することができる。
【００２２】
大画面貸出サービスを利用することにより、端末装置５０のユーザは、大画面装置１００の表示領域の一部の領域（以下、占有領域と称する）を指定した時間（以下、占有時間と称する）だけ占有して所望のコンテンツを表示させることができる。具体的には、端末装置５０が上記コンテンツをサーバ１に送信すると、サーバ１は、上記コンテンツを大画面装置１００の上記占有領域に、上記占有時間だけ表示する。
【００２３】
（大画面装置１００の構成）
大画面装置１００の構成について説明する。大画面装置１００は、図１に示すように、ＱＲ（Quick Response）コード表示部１０１および占有領域表示部１０２を備えている。
【００２４】
ＱＲコード表示部１０１は、サーバ１から画像として送信されたＱＲコードを画像として大画面表示するものである。上記ＱＲコードは、数字、英字、および、漢字などの情報を格納する二次元データであり、カメラ付きの携帯電話などが読み取ることに対応した一般的なＱＲコードである。上記ＱＲコードは、特に、サーバ１の通信アドレス、すなわち、上記大画面貸出サービスの初回登録用のＵＲＬ（Uniform Resource Locator）を情報として含んでいる。
【００２５】
占有領域表示部１０２は、サーバ１から受信したＨＴＭＬ（Hyper Text Markup Language）ファイルを大画面表示するものである。上記ＨＴＭＬファイルは、占有領域表示部１０２を複数の領域に分割した占有領域に表示する内容を示すものである。
【００２６】
なお、大画面装置１００は、ＱＲコード表示部１０１および占有領域表示部１０２を大画面表示するために、ＬＣ（Liquid Crystal）表示パネル、ＥＬ（Electro Luminescence）表示パネルなどからなる１つの大画面を備えていてもよいし、複数のディスプレイの表示画面を連接したマルチ画面によって実現してもよい。また、大画面装置１００には、図示していないＶＤＰ（Video Display Processor）およびＶＲＡＭ（Video RAM）等の画像を表示するために必要な構成が適宜設けられている。
【００２７】
なお、大画面装置１００は、画像表示と操作入力との両機能を備えるタッチパネルであってもよいが、これに限定されない。
【００２８】
なお、ＱＲコード表示部１０１および占有領域表示部１０２は双方の機能を兼ねる１つ表示部により構成してもよい。この場合、大画面装置１００は、サーバ１から上記ＱＲコードの画像がＨＴＭＬタグとして挿入された、当該ＨＴＭＬファイルおよび当該画像を受信し、上記双方の機能を兼ねる１つ表示部に、当該ＨＴＭＬファイルが示す内容を表示するように構成すればよい。
【００２９】
（サーバ１の構成）
サーバ１の構成について説明する。サーバ１は、図１に示すように、端末装置側制御部２、大画面装置側制御部３、および、データベース４を備えている。なお、サーバ１は、図示しない通信部を備えており、当該通信部を介して通信ネットワークに接続されている。また、サーバ１は、上記通信ネットワークを介して、端末装置５０と通信するための通信アドレスとして、通信アドレスＡ（すなわち、上記大画面貸出サービスの初回登録用のＵＲＬ）および通信アドレスＢ（すなわち、上記大画面貸出サービスにおいて占有領域を編集するためのログイン用ＵＲＬ）を有する。
【００３０】
端末装置側制御部２は、サーバ１と端末装置５０とのデータおよび情報のやり取りを統括して制御するものであって、例えば、ＣＰＵ（Central Processing Unit）等で構成することができる。端末装置側制御部２の詳細な構成については後述する。
【００３１】
大画面装置側制御部３は、大画面装置１００に対するデータの送信を統括して制御するものであって、端末装置側制御部２と同様に、ＣＰＵ等で構成することができる。大画面装置側制御部３の詳細な構成については後述する。
【００３２】
データベース４は、端末装置側制御部２および大画面装置側制御部３が処理を実行する際に用いられる各種データを格納するものである。なお、データベース４は、通常、不揮発性の記憶装置によって構成されている。
【００３３】
（端末装置側制御部２）
端末装置側制御部２の詳細な構成について説明する。端末装置側制御部２は、認証処理部２０、タイマー２１、占有領域・時間登録部２２、編集情報取得部２３、および、終了処理部２４を備えている。
【００３４】
認証処理部２０は、端末装置５０が大画面装置１００の表示領域の一部の領域を占有するための初回登録の一部である認証処理を行うものである。
【００３５】
まず、認証処理部２０は、サーバ１の通信アドレスＡを用いた端末装置５０からのアクセスを受け付ける。本実施形態において、上記通信アドレスＡは、端末装置５０が大画面貸出サービスを利用するための初回登録用のウェブページのＵＲＬである。上記ウェブページは、ＨＴＭＬ、ＪａｖａＳｃｒｉｐｔ（登録商標）などを用いて構築されている。そして、認証処理部２０は、上記ウェブページを介して、初回登録用のユーザ情報を端末装置５０から受信する。このとき、認証処理部２０は、データベース４を参照し、上記ユーザ情報がデータベース４に予め存在する複数のユーザ情報と重複しているか否かを判定する。重複していた場合、認証処理部２０は、初回登録が失敗したことを示す情報を端末装置５０に対して送信し、初回登録用のユーザ情報の再送信を促す。一方、重複していなかった場合、認証処理部２０は、ユーザ情報の登録が成功したことを示す情報を端末装置５０に対して送信し、上記ユーザ情報をデータベース４に格納する。
【００３６】
次に、認証処理部２０は、上記ウェブページを介して、初回登録用のクレジットカード情報を端末装置５０から受信する。このとき、認証処理部２０は上記クレジットカード情報が示すクレジットカードが有効なものであるか否かを判定する。そして、認証処理部２０は上記クレジットカードが無効なものであると判定した場合、端末装置５０に対して初回登録を失敗したことを示す情報を送信し、クレジットカード情報の再送信を促す。一方、認証処理部２０は、上記クレジットカードが有効なものであると判定した場合、端末装置５０に対してクレジットカード情報の登録が成功したことを示す情報を送信し、上記クレジットカード情報をデータベース４に格納する。
【００３７】
占有領域・時間登録部２２は、認証処理部２０において上記ユーザ情報および上記クレジットカード情報の登録が完了したとき、上記ウェブページを介して、端末装置５０が大画面装置１００の表示領域の一部の領域を占有するための占有領域情報および占有時間情報を端末装置５０から取得し、上記ユーザ情報と対応付けてデータベース４に格納する。上記占有領域情報とは、大画面装置１００が備える占有領域表示部１０２を複数の領域に分割したとき、上記複数の領域のうち、端末装置５０のユーザが占有して任意のコンテンツを表示させるための表示領域を指定する情報である。また、上記占有時間情報は、上記占有領域を占有して使用するための占有時間を示している。
【００３８】
具体的には、占有領域・時間登録部２２は、データベース４に予め格納されており、現在利用可能な占有領域のリストを示す利用可能領域リストを端末装置５０に対して送信する。そして、占有領域・時間登録部２２は、上記ウェブページを介して、端末装置５０がいずれの占有領域を使用するかを示す占有領域情報、および、その占有時間を示す占有時間情報を端末装置５０から受信し、上記ユーザ情報と対応付けてデータベース４に格納する。
【００３９】
そして、占有領域・時間登録部２２は、通信アドレスＢを端末装置５０に対して送信する。通信アドレスＢは、上記占有領域に表示するコンテンツを編集するための、大画面貸出サービスのログイン用ＵＲＬである。また、データベース４に格納されている上記利用可能領域リストから、上記占有領域情報を削除する。以上をもって、占有領域・時間登録部２２は、端末装置５０のユーザの初回登録を完了し、初回登録が完了したことを終了処理部２４に通知する。
【００４０】
なお、占有領域・時間登録部２２は、１つのユーザ情報と複数の占有領域とを対応付けてデータベース４に格納してもよい。
【００４１】
タイマー２１は、認証処理部２０が端末装置５０からのアクセスを受け付けたことをトリガとして時間の計測を開始し、当該計測から所定の時間が経過したとき、認証処理部２０および占有領域・時間登録部２２に対して動作の停止を通知するものである。そして、認証処理部２０およびは占有領域・時間登録部２２は、タイマー２１から上記通知を受け取ると同時に、通信アドレスＡを介した端末装置５０からの以降のアクセスを拒否する。このとき、占有領域・時間登録部２２は、初回登録中にデータベース４に格納されたユーザ情報、クレジットカード情報を削除する。タイマー２１は、端末装置５０による初回登録作業が長時間に渡って完了されず、端末装置５０のユーザが大画面装置１００の近傍から離れてしまった場合に、端末装置５０のユーザに対して大画面装置１００の占有領域を貸し出すことを防ぐためのものである。
【００４２】
なお、上記通信アドレスＢは通信アドレスＡとは異なるアドレスを示すものである。このように、通信アドレスＡと通信アドレスＢとが異なるように構成されているため、上記所定の時間が経過した後であっても、端末装置５０のユーザは、上記占有領域に表示するコンテンツを編集することができる。
【００４３】
編集情報取得部２３は、サーバ１の通信アドレスＢを用いた端末装置５０からのアクセスを受け付け、上記占有領域を端末装置５０が編集するために、端末装置５０と通信を行う。上記通信は、ＷｅｂＳｏｃｋｅｔなどの双方向用の通信規格により実現されていてもよい。
【００４４】
具体的には、まず、編集情報取得部２３は、ユーザ認証を行う。このとき、編集情報取得部２３は、端末装置５０から送信されたユーザ情報を取得し、当該ユーザ情報がデータベース４に存在するか否かを判定する。上記ユーザ情報がデータベース４に存在しなかった場合、編集情報取得部２３はユーザ認証が失敗したことを示す情報を端末装置５０に対して送信する。一方、上記ユーザ情報がデータベース４に存在した場合、編集情報取得部２３は、上記占有領域の編集を許可し、端末装置５０に対して操作画面を送信する。上記操作画面は、上記占有領域に表示させるコンテンツの内容を端末装置５０のユーザが編集および送信するためのものである。
【００４５】
そして、編集情報取得部２３は、端末装置５０が上記操作画面を操作することにより上記占有領域に表示させるコンテンツを編集した情報である編集情報を取得し、当該編集情報の種類に応じて、異なる形式でデータベース４に格納する。詳細は後述するが、端末装置５０が上記占有領域に表示させるコンテンツを編集する方法は、テキストの編集（以下、テキスト編集と称する）、画像の選択（以下、画像選択と称する）、タッチペンによる描画（以下、タッチペン描画）の３種類である。
【００４６】
編集情報取得部２３は、上記テキスト編集の結果、端末装置５０から送信される文字または一連の文字群を上記編集情報として取得し、当該文字または一連の文字群を上記占有領域情報と対応付けてデータベース４に格納する。
【００４７】
また、編集情報取得部２３は、上記画像選択の結果、端末装置５０から送信される画像を上記編集情報として取得し、当該画像を上記占有領域情報と対応付けてデータベース４に格納する。
【００４８】
また、編集情報取得部２３は、上記タッチペン描画の結果、端末装置５０から送信される描画データを上記編集情報として取得し、当該描画データを上記占有領域情報と対応付けてデータベース４に格納する。ここで、編集情報取得部２３は、端末装置５０から編集中の描画データが要求されたとき、データベース４に格納されている当該描画データを端末装置５０に対して送信するようにしてもよい。
【００４９】
なお、端末装置５０から取得し、データベース４に格納可能な編集情報は上述のものに限定されず、さらに、上述の編集情報を組み合わせたものであってもよい。
【００５０】
そして、編集情報取得部２３は、上記編集情報がデータベース４に格納されたことを大画面装置側制御部３に対して通知する。
【００５１】
終了処理部２４は、端末装置５０のユーザ情報と占有領域との紐付けを削除し、本実施形態に係る大画面貸出サービスの終了処理を行う。終了処理部２４は、占有領域・時間登録部２２から、端末装置５０のユーザの初回登録が完了したことが通知されたことをトリガとして、端末装置５０が内蔵しているタイマーによる時間の計測を開始する。
【００５２】
そして、終了処理部２４は、データベース４から端末装置５０のユーザ情報に対応する占有時間情報を取得し、現在日時が当該占有時間情報が示す占有時間を経過したか否かを判定する。上記占有時間が経過したとき、終了処理部２４は、端末装置５０のユーザに対し、課金処理を行う。具体的には、終了処理部２４は、データベース４から、端末装置５０のユーザのクレジットカード情報を取得し、クレジットカードの管理会社とネットワーク通信を行い、当該クレジットカード情報が示すクレジットカードの課金手続きを行う。上記課金手続きの際の課金額は、ユーザの占有領域の大きさおよび占有時間の長さに応じて決定されていてもよい。すなわち、終了処理部２４は、上記ユーザ情報に対応する占有領域情報が示す占有領域の面積が大きくなるにつれて、および／または、上記ユーザ情報に対応する上記占有時間情報が示す占有時間が長くなるにつれて、上記ユーザに対して多くの額の課金を行うように構成されていてもよい。
【００５３】
そして、終了処理部２４は、端末装置５０および大画面装置側制御部３に対し、上記課金処理が終了したことを通知し、データベース４に格納されたユーザ情報、クレジットカード情報、占有領域情報、および、占有時間情報を削除する。また、終了処理部２４は、上記利用可能領域リストに上記占有領域情報を新たに加える。
【００５４】
（変形例：占有領域の予約）
上記利用可能領域リストは、現在利用可能な占有領域のリスト、すなわち、他の端末装置５０を所有するユーザに利用されていない領域のリストである。したがって、上記利用可能領域リストは、現在占有されているものの、直近に占有時間が終了する占有領域を含んでいないため、端末装置５０のユーザは、占有領域の予約を行うことができない。そこで、占有領域・時間登録部２２は、端末装置５０のユーザが占有領域の予約が可能なように、以下のような構成であってもよい。
【００５５】
すなわち、この場合、占有領域・時間登録部２２は、データベース４に予め格納されている複数の占有領域情報を含む占有領域情報リスト、および、当該占有領域情報に対応する複数の占有時間情報を含む占有時間情報リストを取得する。そして、占有領域・時間登録部２２は、上記占有領域情報リストおよび占有時間情報リストとを対応付けたテーブルを端末装置５０に対して送信する。
【００５６】
そして、端末装置５０によって指定された占有領域情報および占有時間情報を受信する。このとき、端末装置５０から受信した上記占有領域情報が、上記利用可能領域リストに含まれていない場合、占有領域・時間登録部２２は、端末装置５０が上記占有領域情報が示す占有領域の予約を要求しているものと判断し、当該占有領域情報をデータベース４に格納する。そして、占有領域・時間登録部２２は、終了処理部２４によって上記占有領域情報が上記利用可能領域リストに追加されたとき、端末装置５０のユーザ情報と上記占有領域情報が示す占有領域との紐付けを開始する。
【００５７】
（大画面装置側制御部３）
大画面装置側制御部３の詳細な構成について説明する。大画面装置側制御部３は、通信アドレス変更部３０、ＱＲコード生成部３１、表示情報生成部３２、表示情報削除部３３、および、占有領域更新部３４を備えている。
【００５８】
通信アドレス変更部３０は、サーバ１の通信アドレスＡを定期的に変更し、データベース４に格納するものである。通信アドレス変更部３０が通信アドレスＡを変更すると同時に、変更前の通信アドレスＡは無効となる。したがって、端末装置５０は、変更前の通信アドレスＡを用いてサーバ１にアクセスし、上記大画面貸出サービスを利用することはできない。そして、通信アドレス変更部３０は、ＱＲコード生成部３１に変更後の通信アドレスＡを送信する。なお、通信アドレス変更部３０は、通信アドレスＢについては、上記終了処理部２４によって端末装置５０のユーザ情報と占有領域との紐付けが終了するまで有効であるように構成してもよいし、永続的に有効なＵＲＬとしてもよい。
【００５９】
ＱＲコード生成部３１は、通信アドレス変更部３０から通信アドレスＡが入力されたとき、当該通信アドレスＡの情報を含むＱＲコードを生成する。そして、ＱＲコード生成部３１は、上記ＱＲコードを大画面装置１００が備えるＱＲコード表示部１０１に送信する。なお、サーバ１は、大画面装置１００の通信アドレスをデータベース４に予め記憶しているものとする。
【００６０】
なお、複数の端末装置が、大画面装置１００に表示される同一のＱＲコードを取得することができる。このとき、サーバ１は、当該ＱＲコードに含まれる通信アドレスＡが有効な期間内であれば、上記同一のＱＲコードに含まれる同一の通信アドレスＡを介して、複数の端末装置からのアクセスを受け入れる。
【００６１】
表示情報生成部３２は、編集情報取得部２３から上記編集情報がデータベース４に格納されたことが通知されたことをトリガとして、上記編集情報が示す内容を大画面装置１００に表示させるためのコンテンツを生成する。
【００６２】
まず、表示情報生成部３２は、データベース４から上記編集情報を取得する。また、表示情報生成部３２は、データベース４から、上記編集情報を送信したユーザの占有領域情報を取得する。また、表示情報生成部３２は、データベース４から、大画面装置１００が備える占有領域表示部１０２に対して前回送信したＨＴＭＬファイルを取得する。前回送信した上記ＨＴＭＬファイルは、データベース４に予め格納されている、上記ＨＴＭＬファイルによって記述される内容は、大画面装置１００が備える占有領域表示部１０２を複数の領域に分割して表示するための複数の占有領域を含む。
【００６３】
そして、表示情報生成部３２は、上記編集情報の種類に応じて異なる方法で上記編集情報を加工して大画面装置１００に表示するコンテンツを生成し、上記ＨＴＭＬファイルにおける上記占有領域情報が示す占有領域に対応する箇所に当該コンテンツを挿入する。
【００６４】
具体的には、表示情報生成部３２は、上記編集情報が文字または一連の文字群（上記テキスト編集に対応）であった場合、当該文字または一連の文字群を上記ＨＴＭＬファイルに記入する。
【００６５】
また、表示情報生成部３２は、上記編集情報が画像（上記画像選択に対応）であった場合、当該画像を上記ＨＴＭＬファイルに挿入するＨＴＭＬタグを上記ＨＴＭＬファイルに記入する。
【００６６】
また、表示情報生成部３２は、上記編集情報がタッチペンによる描画データ（上記タッチペン描画に対応）であった場合、当該描画データを表示用の画像に変換し、当該画像を上記ＨＴＭＬファイルに挿入するＨＴＭＬタグを上記ＨＴＭＬファイルに記入する。
【００６７】
そして、表示情報生成部３２は、修正後の上記ＨＴＭＬファイルをデータベース４に格納し、占有領域更新部３４に出力する。
【００６８】
表示情報削除部３３は、終了処理部２４から課金処理が終了したことが通知されたことをトリガとして、大画面装置１００が備える占有領域表示部１０２に対して前回送信したＨＴＭＬファイルをデータベース４から取得する。また、表示情報削除部３３は、上記課金処理が行われるユーザによって占有されている占有領域情報をデータベース４から取得する。
【００６９】
そして、表示情報削除部３３は、上記占有領域情報が示す占有領域に該当する上記ＨＴＭＬファイル上の占有領域に記入された内容を削除する。また、表示情報削除部３３は、上記占有領域情報に対応する編集情報をデータベース４から削除する。そして、表示情報削除部３３は、修正後の上記ＨＴＭＬファイルをデータベース４に格納し、占有領域更新部３４に出力する。
【００７０】
占有領域更新部３４は、表示情報生成部３２または表示情報削除部３３からＨＴＭＬファイルが入力されたとき、当該ＨＴＭＬファイルを大画面装置１００が備える占有領域表示部１０２に送信する。
【００７１】
なお、サーバ１は、編集情報取得部２３によって上記編集情報を取得する前に、登録された占有領域が使用中であることを示す情報を大画面装置１００に送信するように構成してもよい。この場合、占有領域・時間登録部２２は、上記大画面貸出サービスの初回登録完了が完了したことを表示情報生成部３２に対して通知する。そして、上記通知を受信したとき、表示情報生成部３２は、上記占有領域は既に占有されており、上記占有領域に表示するコンテンツを現在準備中であることを示す情報をＨＴＭＬファイルの該当箇所に記入する。そして、占有領域更新部３４は、当該ＨＴＭＬファイルを大画面装置１００に送信する。
【００７２】
（端末装置５０の構成）
端末装置５０の構成について説明する。端末装置５０は、図１に示すように、ＱＲコード読取部５１、入力部５２、表示部５３、記憶部５４、初回登録制御部５５、および、占有領域編集制御部５６を備えている。なお、端末装置５０は、図示しない通信部を備えており、当該通信部を介して通信ネットワークに接続されている。
【００７３】
ＱＲコード読取部５１は、大画面装置１００のＱＲコード表示部１０１に表示されるＱＲコードを読み取るためのものである。ＱＲコード読取部５１は、大画面装置１００からＱＲコードを読み取るために、当該ＱＲコードを撮像するためのカメラを備えている。そして、ＱＲコード読取部５１は、上記ＱＲコードが含むサーバ１の通信アドレスＡ、すなわち、上記大画面貸出サービスの初回登録用のＵＲＬを取得し、初回登録制御部５５に対して送信する。
【００７４】
入力部５２は、端末装置５０のユーザの操作を受け付けるものであり、典型的には、ユーザが操作することが可能な物理キーおよび、キーボード、タッチパネルなどである。なお、表示部５３がタッチパネルである場合、表示部５３が入力部５２の機能を兼ねる構成である。
【００７５】
表示部５３は、初回登録制御部５５および占有領域編集制御部５６の指示に基づいて画像を表示する表示装置である。ＬＣ表示パネル、ＥＬ表示パネル等を表示部５３として適用することができる。なお、図示していないが、初回登録制御部５５、占有領域編集制御部５６、または、表示部５３の内部には、ＶＤＰおよびＶＲＡＭ等の画像を表示するために必要な構成が適宜設けられている。また、表示部５３は、画像表示と操作入力との両機能を備えるタッチパネルであってもよい。
【００７６】
記憶部５４は、初回登録制御部５５および占有領域編集制御部５６が実行する（１）各部の制御プログラム、（２）ＯＳ（Operation System）プログラム、（３）アプリケーションプログラム、および、（４）これらプログラムを実行するときに読みだす各種データを記憶するものである。記憶部５４は、フラッシュメモリなどの不揮発性の記憶装置によって構成される。また、記憶部５４は、初回登録制御部５５および占有領域編集制御部５６が上述の各種プログラムを実行する過程でデータを一時的に保持するための作業領域として、ＲＡＭ（Random Access Memory）などの揮発性の記憶装置によって構成される領域を有している。
【００７７】
そして、記憶部５４は、特に、サーバ１の通信アドレスＢ、すなわち、上記大画面貸出サービスにおいて占有領域を編集するためのログイン用ＵＲＬを格納する。
【００７８】
初回登録制御部５５は、上記大画面貸出サービスの初回登録時のサーバ１との情報およびデータのやり取りを統括して制御するものであって、例えば、ＣＰＵ等で構成することができる。
【００７９】
初回登録制御部５５は、認証情報送信部６０および占有領域・時間指定部６１を備えている。
【００８０】
認証情報送信部６０は、ＱＲコード読取部５１からサーバ１の通信アドレスＡが入力されたとき、当該通信アドレスＡを用いてサーバ１と通信することにより、端末装置５０が大画面装置１００の占有領域を使用するための初回登録の一部である認証処理を行うものである。具体的には、認証情報送信部６０は、入力部５２にて受け付けるユーザからの操作に基づき、ユーザ情報、クレジットカード情報を含む認証情報をサーバ１の認証処理部２０に送信する。このとき、サーバ１の認証処理部２０から、初回登録が失敗し、ユーザ情報またはクレジットカード情報の再送信を促す情報、もしくは、初回登録が成功したことを示す情報が送信された場合、認証情報送信部６０は、当該情報を表示部５３に表示する。そして、上記と同様にして、認証情報送信部６０は、ユーザからの操作に基づいて再入力された認証情報を再送信する。
【００８１】
占有領域・時間指定部６１は、端末装置５０のユーザが大画面装置１００の表示領域の一部の領域を占有するための占有領域を指定する占有領域情報、および、端末装置５０のユーザが上記占有領域を占有して使用するための占有時間を指定する占有時間情報をサーバ１の占有領域・時間登録部２２に対して送信する。このとき、サーバ１の占有領域・時間登録部２２から、占有領域および占有時間の登録が失敗したことを示す情報、もしくは、占有時間の登録が成功したことを示す情報が送信された場合、占有領域・時間指定部６１は、当該情報を表示部５３に表示する。そして、上記と同様にして、占有領域・時間指定部６１は、ユーザからの操作に基づいて再入力された占有領域情報および占有時間情報を再送信する。そして、占有領域・時間指定部６１は、サーバ１の占有領域・時間登録部２２から送信された通信アドレスＢ（上記占有領域を編集するためのログイン用ＵＲＬ）を記憶部５４に格納する。
【００８２】
占有領域編集制御部５６は、上記大画面貸出サービスにおいて、上記占有領域を編集するためのサーバ１との情報およびデータのやり取りを統括して制御するものであって、例えば、ＣＰＵ等で構成することができる。
【００８３】
占有領域編集制御部５６は、ログイン情報送信部７０および占有領域編集部７１を備えている。
【００８４】
ログイン情報送信部７０は、記憶部５４に格納されているサーバ１の通信アドレスＢを用いてサーバ１にアクセスし、ログイン認証（以下、ユーザ認証とも称する）を行う。このとき、ログイン情報送信部７０は、サーバ１の編集情報取得部２３に対し、ユーザからの操作に基づき、認証情報送信部６０において初回登録が成功した際に入力されたユーザ情報を送信する。そして、ログイン情報送信部７０は、上記で登録済みの占有領域に表示させるコンテンツの内容を編集および送信するための操作画面をサーバ１の編集情報取得部２３から取得する。
【００８５】
占有領域編集部７１は、入力部５２にて受け付けるユーザの操作に基づき、上記占有領域に表示させるコンテンツの内容を編集して編集情報を生成し、サーバ１の編集情報取得部２３に送信する。上述のように、上記操作画面は、テキスト編集、画像選択、および、タッチペン描画の３種類の編集が可能なようになっている。占有領域編集部７１は、テキスト編集が行われた場合、当該テキスト編集により入力された文字または一連の文字群を上記編集情報として生成し、サーバ１の編集情報取得部２３に送信する。また、占有領域編集部７１は、画像選択が行われた場合、当該画像を上記編集情報として生成し、サーバ１の編集情報取得部２３に送信する。また、占有領域編集部７１は、タッチペン描画が行われた場合、当該タッチペン描画の描画データを上記編集情報として生成し、サーバ１の編集情報取得部２３に送信する。ここで、上記描画データは再編集可能なデータであってもよい。この場合、占有領域編集部７１は、入力部５２にて受け付けるユーザの要求に基づき、前回、上記サービスにログインした際のタッチペン描画による描画データをサーバ１に対して要求可能なように構成されていてもよい。そして、占有領域編集部７１は、当該要求の結果、サーバ１から受信した上記描画データを表示部５３に表示し、再編集可能なように構成されていてもよい。
【００８６】
なお、端末装置５０が、サーバ１に送信可能な編集情報は上述のものに限定されず、さらに、上述の編集情報を組み合わせたものであってもよい。
【００８７】
なお、サーバ１の端末装置側制御部２が備える終了処理部２４は、端末装置５０に対し、課金処理が行われたことを通知してもよい。このとき、端末装置５０は、上記課金処理の内容を表示部５３に表示する。
【００８８】
なお、大画面装置１００が端末装置５０に対してサーバ１の通信アドレスＡを供給する方法は、当該通信アドレスを含むＱＲコードを表示することに限定されず、端末装置５０が通信アドレスＡを大画面装置１００の近傍でのみ取得可能な方法であればよい。したがって、大画面装置１００が通信アドレスＡを供給する方法は、例えば、大画面装置１００と端末装置５０との間の近距離無線通信により実現してもよい。
【００８９】
（処理の流れ）
大画面管理システム９００における処理の流れについて、図２〜図３に基づいて説明する。
【００９０】
（初回登録時の処理の流れ）
図２について説明する。図２は、大画面管理システム９００の処理の一例を示すシーケンス図である。図２は、サーバ１が提供する大画面貸出サービスの初回登録時の処理を示している。
【００９１】
まず、サーバ１が備える通信アドレス変更部３０は、大画面装置１００に表示されており、上記大画面貸出サービスを利用するための初回登録用の通信アドレスＡが格納されたＱＲコードが前回表示されてから現在までの経過時間が、定刻時間内にあるか否かを判定する（Ｓ２１）。上記経過時間が上記定刻時間内にあるとき、サーバ１が備える通信アドレス変更部３０はＱＲコードを変更しない。したがって、大画面装置１００は、前回のＱＲコードの表示を継続する（Ｓ３１）。一方、上記経過時間が上記定刻時間を超過しているとき（Ｓ２１でＮｏ）、サーバ１は、ＱＲコードの更新処理を行う（Ｓ２２）。具体的には、サーバ１が備える通信アドレス変更部３０は、通信アドレスＡを変更し、それに伴い、サーバ１が備えるＱＲコード生成部３１は、変更後の通信アドレスＡを含むＱＲコードを生成し、大画面装置１００に送信する。そして、大画面装置１００は上記更新後のＱＲコードを表示する（Ｓ３１）。
【００９２】
次に、端末装置５０が起動し（Ｓ１）、端末装置５０が備えるＱＲコード読取部５１は、大画面装置１００に表示されているＱＲコードを読み取る（Ｓ２）。そして、端末装置５０は上記ＱＲコードが含む上記大画面貸出サービスの初回登録用のＵＲＬ（通信アドレスＡ）を取得し（Ｓ３）、当該ＵＲＬを用いて、サーバ１が提供するウェブページにアクセスし、当該サービスの利用手続きを開始する（Ｓ４）。そして、端末装置５０のユーザから受け付ける操作に基づき、上記ウェブページ上で、ユーザ情報（Ｓ５）およびクレジットカード情報の入力（Ｓ６）が行われたとき、端末装置５０が備える認証情報送信部６０は、上記入力内容をサーバ１に対して送信する。
【００９３】
サーバ１が備える認証処理部２０は、上記ユーザ情報および上記クレジットカード情報を端末装置５０から取得し、ユーザ情報およびクレジットカード情報の認証を行う（Ｓ２４）。具体的には、認証処理部２０は、ユーザ情報がデータベース４に存在しないことを確認し、クレジットカード情報が示すクレジットカードが有効なものであるか否かを判定する。
【００９４】
認証に失敗した場合（Ｓ２４でＮｏ）、端末装置５０が備える認証情報送信部６０は、認証が失敗したことを示す情報をサーバ１から受信し（Ｓ７）、端末装置５０の処理はステップＳ５に戻る。そして、端末装置５０は、端末装置５０のユーザから受け付ける操作に基づき、ユーザ情報またはクレジットカード情報の再送信を行う。
【００９５】
一方、認証に成功した場合（Ｓ２４でＹｅｓ）、サーバ１が備える占有領域・時間登録部２２は、大画面装置１００の占有領域のリストを送信する（Ｓ２５）。
【００９６】
そして、端末装置５０が備える占有領域・時間指定部６１は、ユーザから受け付ける操作に基づき、サーバ１から送信された占有領域のリストから、１つまたは複数の占有領域を選択する（Ｓ８）。また、占有領域・時間指定部６１は、上記占有領域を占有して使用するための占有時間を指定する（Ｓ９）。このとき、占有領域・時間指定部６１は、選択された上記占有領域および指定された上記占有時間を、占有領域情報および占有時間情報としてサーバ１に送信する。
【００９７】
そして、サーバ１が備える占有領域・時間登録部２２は、上記占有領域情報および上記占有時間情報を受信し（Ｓ２６）、上記端末装置５０のユーザ情報と、上記占有領域情報が示す占有領域との紐付けを開始する（Ｓ２７）。さらに、サーバ１は、大画面装置１００に対し、大画面上の上記占有領域に対応する箇所が使用中であることを示す情報を表示させるためのＨＴＭＬファイルを送信し、大画面装置１００は、当該ＨＴＭＬファイルを表示する（Ｓ３２）。
【００９８】
ここで、サーバ１が備える占有領域・時間登録部２２は、端末装置５０が上記占有領域に表示させるコンテンツを編集するためのログイン画面のＵＲＬ（通信アドレスＢに対応）を端末装置５０に対して送信し（Ｓ２８）、端末装置５０が備える占有領域・時間指定部６１は、当該ＵＲＬを受信する（Ｓ１０）。そして、占有領域・時間指定部６１は、上記ＵＲＬを記憶部５４に格納する。
【００９９】
以上をもって、上記大画面貸出サービスの初回登録は完了する。
【０１００】
（占有領域編集時の処理の流れ）
次に、図３について説明する。図３は、大画面管理システム９００の処理の一例を示すシーケンス図である。図３は、サーバ１が提供する大画面貸出サービスの占有領域編集時の処理を示している。
【０１０１】
まず、端末装置５０のユーザが登録した占有領域を編集したいときには、端末装置５０を起動させる（Ｓ４１）。そして、端末装置５０が備えるログイン情報送信部７０は、記憶部５４に格納されているサーバ１の通信アドレスＢを用いてサーバ１の上記大画面貸出サービスのログイン画面にアクセスする。上記ログイン画面において、ログイン情報送信部７０は、ユーザから受け付ける操作に基づき、初回登録時に認証されたユーザ情報を入力し（Ｓ４２）、サーバ１に対して送信する。
【０１０２】
サーバ１が備える編集情報取得部２３は、上記ユーザ情報を端末装置５０から受信し、ユーザ認証を開始する（Ｓ５１）。すなわち、編集情報取得部２３は、端末装置５０から送信された上記ユーザ情報がデータベース４に存在するか否かを判定する。
【０１０３】
上記ユーザ情報がデータベース４に存在しなかった場合、編集情報取得部２３はユーザ認証が失敗したと判定する（Ｓ５２でＮｏ）。そして、処理はステップＳ４２に戻り、端末装置５０のユーザは、ユーザ情報を再入力する。
【０１０４】
一方、上記ユーザ情報がデータベース４に存在した場合、編集情報取得部２３はユーザ認証が成功したと判定する（Ｓ５２でＹｅｓ）。そして、処理はステップＳ５３に進む。
【０１０５】
サーバ１が備える終了処理部２４は、初回登録時に端末装置５０によって指定された占有時間を確認し（Ｓ５３）、現在日時が占有時間内であるか否か（すなわち、現在日時が紐付けを終了する日時を超過しているか否か）を判定する（Ｓ５４）。
【０１０６】
現在日時が占有時間内であった場合（Ｓ５４でＹｅｓ）、終了処理部２４は占有領域の編集を許可し、処理はステップＳ４３に進む。
【０１０７】
一方、現在日時が占有時間内になかった場合（Ｓ５４でＮｏ）、端末装置５０のユーザに対する上記大画面貸出サービスの終了処理を行うために、処理はステップＳ５７に進む。
【０１０８】
ステップＳ４３において、端末装置５０が備える占有領域編集部７１は、ユーザから受け付ける操作に基づき、大画面装置１００の占有領域に表示するコンテンツを編集し、当該コンテンツを編集情報としてサーバ１へと送信する。
【０１０９】
そして、サーバ１が備える編集情報取得部２３は、上記編集情報を受信する（Ｓ５５）。続いて、サーバ１が備える表示情報生成部３２は、上記編集情報を表示するためのデータに加工する（Ｓ５６）。具体的には、表示情報生成部３２は、前回大画面装置１００に送信したＨＴＭＬファイルに、上記編集情報の内容を追記する。そして、サーバ１が備える占有領域更新部３４は、上記ＨＴＭＬファイルを大画面装置１００に送信し、大画面装置１００は、当該ＨＴＭＬファイルを大画面上に表示する（Ｓ７１）。
【０１１０】
以上をもって、端末装置５０による占有領域の編集処理は終了する。
【０１１１】
一方、ステップＳ５７において、サーバ１が備える終了処理部２４は、現在日時が指定された占有時間を超過していることを端末装置５０に対して通知する（Ｓ５７）。そして、サーバ１が備える編集情報取得部２３は、上記端末装置５０のユーザ情報の認証を拒否し、さらに、占有領域編集部７１は、現在編集中の大画面装置１００の占有領域の編集を拒否する（Ｓ４４）。
【０１１２】
そして、終了処理部２４は、上記占有領域および上記占有時間に応じて、端末装置５０のユーザに対する課金処理を実行する（Ｓ５８）。続いて、終了処理部２４は、端末装置５０のユーザ情報と大画面装置１００の占有領域との紐付けが記載された情報をデータベース４から削除し、当該占有領域の内容を削除したＨＴＭＬファイルを大画面装置１００に対して送信する（Ｓ５９）。上記ＨＴＭＬファイルを受け取った大画面装置１００は、占有領域表示部１０２に当該ＨＴＭＬファイルを表示することにより、大画面装置１００において、端末装置５０のユーザ情報に紐付けられた上記占有領域の表示内容は削除される（Ｓ７２）。そして、終了処理部２４は、端末装置５０のユーザ情報およびクレジットカード情報をデータベース４から削除する（Ｓ６０）。
【０１１３】
以上をもって、端末装置５０のユーザ情報と、大画面装置１００の占有領域との紐付けは終了する。
【０１１４】
（データ構造）
次に、図４について説明する。図４の（ａ）〜（ｄ）は、大画面管理システム９００が含むサーバ１が備えるデータベース４のデータ構造を示すテーブルである。
【０１１５】
図４の（ａ）は、大画面装置１００に表示させるためのＱＲコードの情報を示すテーブルである。上記テーブルはデータ項目として、大画面装置ＩＤ、サーバＵＲＬ、および、ＱＲコード更新日時を含んでいる。
【０１１６】
大画面装置ＩＤは、大画面装置１００を識別するための文字列である。ここでは例として、“ＰＬ−Ｌ９２０Ａ”という文字列が大画面装置ＩＤとして示されている。なお、本実施形態に係る大画面管理システム９００において、大画面装置１００は複数台設置されていてもよい。この場合、大画面装置１００を増設するごとに、対応する大画面装置ＩＤがデータベース４に格納される。このように、サーバ１は、大画面装置１００が複数台設置されている場合であっても、対応する大画面装置ＩＤがデータベース４に格納されていることにより、それぞれの大画面装置１００およびその占有領域を管理することができる。
【０１１７】
サーバＵＲＬは、サーバ１の上記通信アドレスＡに対応するものである。上記サーバＵＲＬは、大画面装置１００に表示されるＱＲコードに含まれる。ここでは例として、“https://*****.co.jp/foo/bar”というアドレスが上記サーバＵＲＬとして示されている。上記サーバＵＲＬは、サーバ１が備える通信アドレス変更部３０によって定期的に変更される。そして、それに伴い、ＱＲコード生成部３１によって、上記サーバＵＲＬを含むＱＲコードが更新され、大画面装置１００に送信される。
【０１１８】
ＱＲコード更新日時は、上記ＱＲコードが最後に更新された日時を示すものである。ここでは例として、上記ＱＲコード更新日時を示す“２０１２−０７−０１  ０９：００”が格納されている。サーバ１が備える通信アドレス変更部３０は、上記ＱＲコード更新日時に所定時間を加えた定刻時間を経過したことをトリガとして、上記サーバＵＲＬを変更するようになっている。
【０１１９】
図４の（ｂ）は、ユーザ情報およびクレジットカード情報を示すテーブルである。上記テーブルはデータ項目として、“ユーザＩＤ”、“パスワード”、“クレジットカード番号、有効期限”、および、“セッションＩＤ”を含んでいる。なお、上記ユーザ情報は、具体的には、ユーザＩＤおよびパスワードを示す情報であり、上記クレジットカード情報は、具体的には、クレジットカード番号および有効期限を示す情報である。
【０１２０】
ユーザＩＤは、初回登録時に端末装置５０によって入力されたユーザ情報の１つであってユーザを識別するためのものである。ここでは、“ａｂｃ１２３４５”というユーザＩＤが端末装置５０によって入力され、サーバ１によってデータベース４に格納されたときの例を示している。
【０１２１】
パスワードは、初回登録時に端末装置５０によって入力されたユーザ情報の１つであって、ログイン画面上でユーザ認証を行うためのものである。ここでは例として、“ｍ３ｉｏＡｗＲｆｖ”という文字列が上記パスワードとして示されている。
【０１２２】
クレジットカード番号、有効期限は、端末装置５０のユーザに対して、大画面貸出サービスの課金処理を実行するためのクレジットカードを特定するための、クレジットカード番号およびその有効期限である。ここでは上記クレジットカード番号の例として、“＊＊＊＊  ＊＊＊＊  ＊＊＊＊  ６７８９”という数字が格納されている。また、上記有効期限の例として、“２０＊＊／＊＊”が示されている。
【０１２３】
セッションＩＤは、ユーザ毎の端末装置５０を識別するＩＤであって、端末装置５０に対して固有に付与される。ここでは上記セッションＩＤの例として、“ｂａｄｂ７４８４７６０ａ７４ａ３”という英数字が示されている。
【０１２４】
本実施形態において、サーバ１が備える占有領域・時間登録部２２は、大画面装置１００の占有領域と、端末装置５０を所有するユーザのユーザ情報とを紐付けて、データベース４に格納している。したがって、上記占有領域は、端末装置５０と紐付けられているわけではない。
【０１２５】
そこで、上記占有領域・時間登録部２２は、上記占有領域と上記セッションＩＤとを紐付けてデータベース４に格納するように構成されてもよい。さらに、サーバ１が備える編集情報取得部２３は、ユーザＩＤの代わりに上記セッションＩＤを用いてユーザ認証を行うように構成されていてもよい。上記の構成によれば、端末装置５０以外の端末装置を所有するユーザからのアクセスを遮断することができる。したがって、端末装置５０のユーザ情報を用いて不正にアクセスされた場合など、ユーザ情報およびクレジットカード情報が不正に利用される状況を防ぐことができるという効果を奏する。
【０１２６】
また、上記編集情報取得部２３は、通信アドレスＢを介した端末装置５０からのログインを受け付ける際に、端末装置５０に対応する上記セッションＩＤをデータベース４に格納するように構成されていてもよい。そして、上記編集情報取得部２３は、認証が完了してから一定時間、編集情報が端末装置５０から送信されなかった場合、上記セッションＩＤをデータベース４から削除する。この場合、サーバ１は、データベース４にセッションＩＤが存在しなければ、端末装置５０のユーザが占有領域を編集するためのセッションが切れたと判断し、再ログインを促す情報を端末装置５０に対して送信する。
【０１２７】
なお、上記ユーザＩＤ、上記パスワード、および、上記クレジットカード番号、有効期限は、端末装置５０に固有のものでなくてもよい。すなわち、端末装置５０が大画面貸出サービスの初回登録を複数回行うことにより、データベース４が複数のユーザＩＤ、パスワード、および、クレジットカード番号、有効期限を格納するようにしてもよい。
【０１２８】
図４の（ｃ）は、大画面装置１００に表示される占有領域の情報を示すテーブルである。上記テーブルはデータ項目として、大画面装置ＩＤおよび利用可能領域ＩＤを含んでいる。
【０１２９】
大画面装置ＩＤは、上述のものと同一であって、以下の利用可能領域ＩＤと対応付けるために示されている。
【０１３０】
利用可能領域ＩＤは、上記大画面装置ＩＤに対応する大画面装置１００において、１つ以上の利用可能な占有領域を特定するためのものである。すなわち、上記利用可能領域ＩＤは、上述した利用可能領域リストに対応する。ここでは、上記利用可能領域ＩＤの例として、“ＰＬ−Ｌ９２０Ａ＿００００，ＰＬ−Ｌ９２０Ａ＿０００２，・・・”という文字列が示されている。サーバ１が備える占有領域・時間登録部２２は、端末装置５０が備える占有領域・時間指定部６１に対し、上記利用可能領域ＩＤに対応する複数の占有領域を含むリストを送信する。
【０１３１】
図４の（ｄ）は、端末装置５０のユーザ情報と、大画面装置１００の占有領域との紐付けの情報を示すテーブルである。上記テーブルはデータ項目として、ユーザＩＤ、大画面装置ＩＤ、領域ＩＤ、登録日時、終了日時、および、更新日時を含んでいる。
【０１３２】
ユーザＩＤ、大画面装置ＩＤは、上述のものと同一であって、以下の各項目と対応付けるために示されている。
【０１３３】
領域ＩＤは、上述した複数の利用可能領域ＩＤのうち、端末装置５０のユーザ情報に紐付けられた領域ＩＤを示す。ここでは領域ＩＤの例として、“ＰＬ−Ｌ９２０Ａ＿００００”が格納されている。なお、サーバ１が備える占有領域・時間登録部２２は、上記セッションＩＤ、上記大画面装置ＩＤ、および、上記領域ＩＤと、上記ユーザＩＤとを対応付けてデータベース４に格納する。
【０１３４】
登録日時は、端末装置５０のユーザ情報と、上記領域ＩＤが示す大画面装置１００の占有領域との紐付けが開始された日時を示している。ここでは例として、“２０１２−０７−０１  ２０：３０”が上記登録日時として示されている。
【０１３５】
終了日時は、上記紐付けが終了する日時である。上記終了日時は、サーバ１が備える占有領域・時間登録部２２が端末装置５０から取得した占有時間情報と同一のものである。ここでは例として、 “２０１２−０７−３０  １６：００”が上記終了日時として示されている。なお、サーバ１は、上記登録日時に対し、例えば、「３０日間」などといった端末装置５０から指定された期間、または、所定の期間を加算することにより、上記終了日時を算出してもよい。
【０１３６】
更新日時は、上記紐付けが端末装置５０によって最後に更新された日時である。ここでは例として、“２０１２−０７−１８  １８：００”が上記更新日時として示されている。このように、サーバ１は、端末装置５０から上記紐付けの上記最終日時を更新可能なように構成されていてもよい。この場合、サーバ１は、上記更新日時に対し、端末装置５０から指定された期間、または、所定の期間を加算することにより上記終了日時を算出してもよい。
【０１３７】
（初回登録の一例）
図５について説明する。図５は、サーバ１が提供する大画面貸出サービスの初回登録時における端末装置５０の表示画面の遷移を示す図である。なお、図５の説明に際し、適宜、図４に示したデータ構造を参照する。
【０１３８】
図５の（状態ａ）は、サーバ１が提供する大画面貸出サービスの初回登録用のウェブページの受付画面である。端末装置５０が大画面装置１００に表示されるＱＲコードを読み取り、当該ＱＲコードが示すＵＲＬ（通信アドレスＡ）を介して上記ウェブページにアクセスしたとき、端末装置５０が備える表示部５３の表示画面には、初回登録ページの上記受付画面が最初に表示される。
【０１３９】
続いて、端末装置５０の表示画面は図５の（状態ｂ）に遷移する。図５の（状態ｂ）は、端末装置５０のユーザから受け付ける操作に基づき、ユーザ情報であるユーザＩＤおよびパスワードが上記ウェブページ上で入力されたときの例を示している。入力された上記ユーザ情報は端末装置５０の認証情報送信部６０からサーバ１の認証処理部２０へと送信され、認証処理部２０は上記ユーザ情報の認証を行った後、当該ユーザ情報をデータベース４に含まれる図４の（ｂ）に示したテーブルに格納する。
【０１４０】
続いて、端末装置５０の表示画面は図５の（状態ｃ）に遷移する。図５の（状態ｃ）は、端末装置５０のユーザの操作に基づき、クレジットカード情報であるクレジットカード番号および有効期限が初回登録ページ上で入力されたときの例を示している。入力された上記クレジットカード情報は、ユーザ情報と同様にして、端末装置５０の認証情報送信部６０からサーバ１の認証処理部２０へと送信され、認証処理部２０は、上記クレジットカード情報の認証を行った後、当該クレジットカード情報をデータベース４に含まれる図４の（ｂ）に示したテーブルに格納する。
【０１４１】
続いて、端末装置５０の表示画面は図５の（状態ｄ）に遷移する。図５の（状態ｄ）は、大画面装置１００において現在利用可能な複数の占有領域を端末装置５０のユーザに選択させるための画面である。現在利用可能な複数の占有領域のリストは、サーバ１が備える占有領域・時間登録部２２によって、図４の（ｃ）に示した利用可能領域ＩＤから生成され、端末装置５０に送信される。ここで、端末装置５０のユーザが、入力部５２を介して所望の占有領域を選択すると、端末装置５０の占有領域・時間指定部６１は、サーバ１の占有領域・時間登録部２２に対して、当該占有領域を示す占有領域情報を送信する。そして、占有領域・時間登録部２２は、上記占有領域情報を図４の（ｄ）に示した領域ＩＤとして、上記ユーザＩＤに紐付けてデータベース４に格納する。
【０１４２】
続いて、端末装置５０の表示画面は、図５の（状態ｅ）に遷移する。図５の（状態ｅ）は、選択された上記占有領域を占有するための占有時間を端末装置５０のユーザに指定させるための画面である。端末装置５０のユーザが入力部５２を介して占有時間を指定すると、端末装置５０の占有領域・時間指定部６１は、当該占有時間を示す占有時間情報をサーバ１の占有領域・時間登録部２２に対して送信する。そして、占有領域・時間登録部２２は、図４の（ｄ）に示すように、上記占有時間情報を終了日時として上記ユーザＩＤに紐付けてデータベース４に格納する。
【０１４３】
続いて、端末装置５０の表示画面は図５の（状態ｆ）に遷移する。図５の（状態ｆ）は、上述のようにして選択された占有領域および指定された占有時間の確認画面を示している。図示のように、サーバ１が備える認証処理部２０は、この時点で、上記占有領域および占有時間に対応する課金額を端末装置５０のユーザに対して提示してもよい。
【０１４４】
以上をもって、本実施形態に係る大画面貸出サービスの初回登録は完了する。この後、サーバ１は、端末装置５０が上記占有領域に表示するコンテンツを編集するためのログイン画面のＵＲＬ（通信アドレスＢに対応）を端末装置５０に対して送信する。そして、端末装置５０が上記ＵＲＬにアクセスし、ユーザ認証が成功したとき、サーバ１は、コンテンツの内容を端末装置５０のユーザが編集および送信するための操作画面を端末装置５０に対して送信する。
【０１４５】
（操作画面の一例）
次に、図６について説明する。図６は、大画面貸出サービスを利用する端末装置５０の操作画面の外観を示す図である。上記操作画面は、上記サービスの初回登録完了時に、サーバ１が端末装置５０に対して送信したものである。上記操作画面は、アイコン５００、アイコン５０１、アイコン５０２、アイコン５０３、および、編集画面５１０を含んでいる。
【０１４６】
アイコン５００は、端末装置５０が上記テキスト編集を行うためのアイコンである。同様に、アイコン５０１はタッチペン描画、アイコン５０２は画像選択を行うためのアイコンである。上記の各アイコンのいずれかが選択されたとき、端末装置５０は、選択されたアイコンに対応する編集画面を編集画面５１０に表示する。
【０１４７】
なお、アイコン５０３は、ユーザ情報、占有時間の残りなどの各種情報を端末装置５０のユーザが確認するためのものである。アイコン５０３が選択されたとき、編集画面５１０には、上記各種設定情報が表示される。
【０１４８】
（占有領域編集の一例）
次に、図７〜図９について説明する。以下の説明では、処理に対応する図２および図３のフローのステップを付記している。
【０１４９】
図７は、端末装置５０が大画面を編集する動作の一例を示す図である。図７では、端末装置５０のユーザが初回登録を行い、大画面装置１００の占有領域３００にテキストを表示させるまでの、大画面管理システム９００の一連の動作を示している。図７は、端末装置５０、サーバ１、および、大画面装置１００を含む。大画面装置１００は、占有領域３００、占有領域３０１、占有領域３０２、および、占有領域３０３を含む占有領域表示部１０２を備えている。また、大画面装置１００は、ＱＲコード４００を表示するためのＱＲコード表示部１０１を備えている。
【０１５０】
まず、端末装置５０は、ユーザの操作に基づき、図５の（状態ｄ）に示した表示画面上で占有領域を選択する（Ｓ８）。ここで、端末装置５０は大画面装置１００の占有領域３００に対応する領域を選択したものとする。そして、サーバ１は、端末装置５０によって選択された上記占有領域との紐付けを開始し（Ｓ２７）、上記占有領域に対応する占有時間の管理を開始する（Ｓ５４）。
【０１５１】
そして、端末装置５０のユーザは、図示のように、端末装置５０の表示画面に表示される操作画面を操作することにより、テキストを入力する。そして、端末装置５０は、入力されたテキストを編集情報としてサーバ１に送信する（Ｓ４３）。
【０１５２】
サーバ１は、入力された上記テキストを示す編集情報を受信し（Ｓ５５）、当該テキストをデータベース４へ格納する。そして、サーバ１は、データベース４からテキストおよびＨＴＭＬファイルを読み出し、当該ＨＴＭＬファイルの占有領域３００に対応する箇所に上記テキストを挿入し、大画面装置１００へと送信する（Ｓ７１）。
【０１５３】
そして、大画面装置１００は、上記ＨＴＭＬファイルを表示することにより、ユーザの操作に基づき、端末装置５０によって入力された上記テキストが、占有領域３００に表示される。
【０１５４】
図８は、端末装置５０が大画面を編集する動作の一例を示す図である。図８では、端末装置５０が初回登録を行い、大画面装置１００の占有領域３００に画像を表示させるまでの、大画面管理システム９００の一連の動作を示している。なお、図７と同様の動作を示すステップについては説明を省略する。
【０１５５】
初回登録の完了後、端末装置５０のユーザは、図示のように、操作画面を操作することにより、所望の画像を選択する。そして、端末装置５０は、選択された画像を編集情報としてサーバ１に送信する（Ｓ４３）。
【０１５６】
サーバ１は、上記画像を示す編集情報を受信し（Ｓ５５）、データベース４へ格納する。そして、サーバ１は、データベース４から上記画像およびＨＴＭＬファイルを読み出し、当該ＨＴＭＬファイルの占有領域３００に対応する箇所に上記画像を挿入し、大画面装置１００へと送信する（Ｓ７１）。
【０１５７】
そして、大画面装置１００は、上記ＨＴＭＬファイルを表示することにより、ユーザの操作に基づき、端末装置５０によって選択された上記画像が、占有領域３００に表示される。
【０１５８】
図９は、端末装置５０が大画面を編集する動作の一例を示す図である。図９では、端末装置５０が初回登録を行い、大画面装置１００の占有領域３００にタッチペンで描画した内容を表示させるまでの、大画面管理システム９００の一連の動作を示している。なお、図７および図８と同様の動作を示すステップについては説明を省略する。
【０１５９】
初回登録の完了後、端末装置５０のユーザは、図示のように、操作画面を操作することにより、タッチペンを用いて所望の絵を描画する。そして、端末装置５０は、描画データを編集情報としてサーバ１に送信する（Ｓ４３）。
【０１６０】
サーバ１は、上記描画データを示す編集情報を受信し（Ｓ５５）、データベース４へ格納する。そして、サーバ１は、データベース４から上記描画データおよびＨＴＭＬファイルを読み出し、当該描画データを表示用の画像に変換し、当該ＨＴＭＬファイルの占有領域３００に対応する箇所に当該画像を挿入し、大画面装置１００へと送信する（Ｓ７１）。
【０１６１】
そして、大画面装置１００は、上記ＨＴＭＬファイルを表示することにより、ユーザの操作に基づき端末装置５０によってタッチペンで描画された内容が、占有領域３００に表示される。
【０１６２】
（まとめ）
本発明の一態様に係る画面管理装置（サーバ１）は、画面管理装置の管理の下に、表示装置（大画面装置１００）が有する表示画面の一部領域である占有領域の表示内容を、端末装置（端末装置５０）の指示に従って変更可能な画像表示システム（大画面管理システム９００）を構成する画面管理装置であって、上記表示装置の上記占有領域に表示させるコンテンツの内容を規定するコンテンツ情報（編集情報）を、上記占有領域に紐付けられた上記端末装置あるいはユーザが操作する上記端末装置から取得するコンテンツ情報取得手段（編集情報取得部２３）と、上記コンテンツ情報取得手段によって取得された上記コンテンツ情報に従って、上記占有領域に上記コンテンツを表示させる画面更新手段（表示情報生成部３２、占有領域更新部３４）とを備えるとともに、上記表示装置の近傍でのみ取得可能なアクセス情報（ＱＲコード）に含まれ、かつ、取得から所定の期間だけ利用可能な初期通信アドレス（通信アドレスＡ）を用いた上記端末装置からの通信によって、上記端末装置あるいは該端末装置のユーザと上記占有領域とを紐付ける登録手段（占有領域・時間登録部２２）を備えている。
【０１６３】
また、本発明の一態様に係る画面管理装置の制御方法は、画面管理装置の管理の下に、表示装置が有する表示画面の一部領域である占有領域の表示内容を、端末装置の指示に従って変更可能な画像表示システムを構成する画面管理装置の制御方法であって、上記表示装置の近傍でのみ取得可能なアクセス情報に含まれ、かつ、取得から所定の期間だけ利用可能な初期通信アドレスを用いた上記端末装置からの通信によって、上記端末装置あるいは該端末装置のユーザと上記占有領域とを紐付ける登録ステップ（Ｓ２７）と、上記表示装置の上記占有領域に表示させるコンテンツの内容を規定するコンテンツ情報を、上記占有領域に紐付けられた上記端末装置あるいはユーザが操作する上記端末装置から取得するコンテンツ情報取得ステップ（Ｓ５５）と、上記コンテンツ情報取得ステップによって取得された上記コンテンツ情報に従って、上記占有領域に上記コンテンツを表示させる画面更新ステップ（Ｓ５６）と、を含む。
【０１６４】
上記の構成および方法によれば、上記画面管理装置は、上記表示装置の近傍でのみ取得可能なアクセス情報に含まれ、かつ、取得から所定の期間だけ利用可能な初期通信アドレスを用いた上記端末装置からの通信によって、上記端末装置あるいは該端末装置のユーザと上記占有領域とを紐付ける。そして、上記表示装置の上記占有領域に表示させるコンテンツの内容を規定するコンテンツ情報を、上記占有領域に紐付けられた上記端末装置あるいはユーザが操作する上記端末装置から取得し、取得された上記コンテンツ情報に従って、上記表示装置の上記占有領域に上記コンテンツを表示させる。
【０１６５】
ここで、初期通信アドレスは、取得から所定の期間だけ利用可能であるため、占有領域との紐付けのための通信は、初期通信アドレスを取得してから所定の期間内に行う必要がある。また、初期通信アドレスは、上記表示装置の近傍でのみ取得可能なアクセス情報に含まれている。それゆえ、ユーザは、初期通信アドレスを取得後、表示装置の近傍から離れることができない。したがって、初期通信アドレスを用いた通信は、紐付けするユーザを表示装置の近傍にいる人のみに制限することができる。
【０１６６】
よって、上記画面管理装置は、表示装置の近傍にいるユーザと上記占有領域とを紐付けることができる。そして、紐付けられたユーザは、上記表示装置の上記占有領域を利用して、任意のコンテンツを表示させることができる。これに対し、上記表示装置の近傍にいないユーザは、上記アクセス情報を取得することができないため、上記占有領域とは紐付けられず、上記占有領域を利用することができない。
【０１６７】
したがって、上記画面管理装置は、表示装置の近傍に位置するユーザのみを紐付けて、当該表示装置の一部の領域を貸し出すことができるという効果を奏する。
【０１６８】
さらに、本発明の一態様に係る画面管理装置は、上記端末装置からの通信を許可する上記初期通信アドレスを定期的に変更する通信アドレス変更手段（通信アドレス変更部３０）と、上記通信アドレス変更手段が上記初期通信アドレスを変更したとき、上記表示装置に近傍の上記端末装置に供給させるための上記アクセス情報を、変更後の上記初期通信アドレスを含めて生成するアクセス情報生成手段（ＱＲコード生成部３１）とをさらに備えていてもよい。
【０１６９】
上記の構成によれば、さらに、上記画面管理装置は、上記端末装置からの通信を許可する上記初期通信アドレスを定期的に変更し、上記初期通信アドレスを変更したとき、上記表示装置に近傍の上記端末装置に供給させるための上記アクセス情報を、変更後の上記初期通信アドレスを含めて生成する。
【０１７０】
よって、上記端末装置が上記画面管理装置の近傍で上記アクセス情報を取得したものの、当該取得から長い時間が経過し、上記端末装置が上記表示装置の近傍から離れてしまった場合、上記アクセス情報が含む上記初期通信アドレスは既に変更され、無効となっている。
【０１７１】
したがって、上記画面管理装置は、表示装置の近傍から離れたユーザに対し、当該表示装置の領域の貸し出しを拒否することができるという効果を奏する。
【０１７２】
さらに、本発明の一態様に係る画面管理装置は、上記コンテンツ情報取得手段は、編集用通信アドレス（通信アドレスＢ）を用いた上記端末装置からの通信によって、上記端末装置から上記コンテンツ情報を取得するものであって、上記登録手段によって、上記端末装置あるいは該端末装置のユーザと上記占有領域とが紐付けられた後、上記初期通信アドレスよりも利用可能な期間が長い上記編集用通信アドレスを上記端末装置へ送信するアドレス情報送信手段（占有領域・時間登録部２２）をさらに備えていてもよい。
【０１７３】
上記の構成によれば、さらに、上記画面管理装置は、上記端末装置あるいは該端末装置のユーザと上記占有領域とが紐付けられた後、上記初期通信アドレスよりも利用可能な期間が長い編集用通信アドレスを上記端末装置へ送信し、上記編集用通信アドレスを用いた上記端末装置からの通信によって、上記端末装置から上記コンテンツ情報を取得する。
【０１７４】
よって、上記端末装置あるいは該端末装置のユーザが上記占有領域と一度紐付けられた後は、上記端末装置は、上記編集用通信アドレスを用いた通信によって、上記画面管理装置に対して上記コンテンツ情報を取得させることができる。
【０１７５】
したがって、紐付けが完了した後であれば、表示装置の近傍から離れた場所からでも、ユーザが占有領域を編集することを可能とすることができるという効果を奏する。
【０１７６】
さらに、本発明の一態様に係る画面管理装置は、上記登録手段は、上記占有領域を占有して使用できる占有時間を、上記端末装置あるいは該端末装置のユーザと上記占有領域とに紐付けるものであってもよい。
【０１７７】
上記の構成によれば、さらに、上記画面管理装置は、上記占有領域を占有して使用できる占有時間を、上記端末装置あるいは該端末装置のユーザと上記占有領域とに紐付ける。
【０１７８】
したがって、上記画面管理装置は、ユーザが占有領域を占有して使用できる占有時間を管理することができるという効果を奏する。
【０１７９】
さらに、本発明の一態様に係る画面管理装置は、上記占有領域の大きさおよび上記占有時間の長さの少なくとも一方に応じて、上記端末装置のユーザに対して課金する課金処理手段（終了処理部２４）をさらに備えていてもよい。
【０１８０】
上記の構成によれば、さらに、上記画面管理装置は、上記占有領域の大きさおよび上記占有時間の長さの少なくとも一方に応じて、上記端末装置のユーザに対して課金することができるという効果を奏する。
【０１８１】
本発明の一態様に係る表示装置は、画面管理装置の管理の下に、表示装置が有する表示画面の一部領域である占有領域の表示内容を、端末装置の指示に従って変更可能な画像表示システムを構成する表示装置であって、上記画面管理装置から送信されたコンテンツを取得し、上記端末装置あるいは該端末装置のユーザと紐付けされている上記占有領域に上記コンテンツを表示する占有領域表示手段（占有領域表示部１０２）を備えるとともに、上記端末装置が取得から所定の期間だけ利用可能な初期通信アドレス（通信アドレスＡ）であって、該初期通信アドレスを上記端末装置が用いて上記画面管理装置と通信することによって、上記画面管理装置に上記端末装置あるいは該端末装置のユーザと上記占有領域とを紐付けさせることが可能な初期通信アドレスを含むアクセス情報（ＱＲコード）を、自表示装置の近傍にある上記端末装置のみが取得可能なように供給するアクセス情報供給手段（ＱＲコード表示部１０１）を備えている。
【０１８２】
また、本発明の一態様に係る表示装置の制御方法は、画面管理装置の管理の下に、表示装置が有する表示画面の一部領域である占有領域の表示内容を、端末装置の指示に従って変更可能な画像表示システムを構成する表示装置の制御方法であって、上記端末装置が取得から所定の期間だけ利用可能な初期通信アドレスであって、該初期通信アドレスを上記端末装置が用いて上記画面管理装置と通信することによって、上記画面管理装置に上記端末装置あるいは該端末装置のユーザと上記占有領域とを紐付けさせることが可能な初期通信アドレスを含むアクセス情報を、自表示装置の近傍にある上記端末装置のみが取得可能なように供給するアクセス情報供給ステップ（Ｓ３１）と、上記画面管理装置から送信されたコンテンツを取得し、上記端末装置あるいは該端末装置のユーザと紐付けされている上記占有領域に上記コンテンツを表示する占有領域表示ステップ（Ｓ７１）と、を含む。
【０１８３】
上記の構成および方法によれば、上記表示装置は、上記端末装置が取得から所定の期間だけ利用可能な初期通信アドレスであって、該初期通信アドレスを上記端末装置が用いて上記画面管理装置と通信することによって、上記画面管理装置に上記端末装置あるいは該端末装置のユーザと上記占有領域とを紐付けさせることが可能な初期通信アドレスを含むアクセス情報を、自装置の近傍にある上記端末装置のみが取得可能なように供給する。そして、上記画面管理装置から送信されたコンテンツを取得し、上記占有領域に上記コンテンツを表示する。
【０１８４】
ここで、初期通信アドレスは、取得から所定の期間だけ利用可能であるため、占有領域との紐付けのための通信は、初期通信アドレスを取得してから所定の期間内に行う必要がある。また、初期通信アドレスは、上記表示装置の近傍でのみ取得可能なアクセス情報に含まれている。それゆえ、ユーザは、初期通信アドレスを取得後、表示装置の近傍から離れることができない。したがって、初期通信アドレスを用いた通信は、紐付けするユーザを表示装置の近傍にいる人のみに制限することができる。
【０１８５】
よって、上記表示装置は、上記占有領域の利用に必要な初期通信アドレスを、近傍にいるユーザのみに供給することができる。そして、初期通信アドレスを用いて上記占有領域に紐付けられたユーザは、上記表示装置の上記占有領域を利用して、任意のコンテンツを表示させることができる。これに対し、上記表示装置の近傍にいないユーザは、上記アクセス情報を取得することができないため、上記占有領域と紐付けられず、上記占有領域を利用することができない。
【０１８６】
したがって、上記表示装置は、当該表示装置の近傍に位置するユーザのみを紐付けて、貸し出された当該表示装置の一部の領域に、ユーザが所望のコンテンツを表示することができるという効果を奏する。
【０１８７】
さらに、本発明の一態様に係る表示装置は、上記アクセス情報供給手段は、上記アクセス情報を表示画面に表示してもよい。
【０１８８】
上記の構成によれば、さらに、上記表示装置は、上記アクセス情報を表示画面に表示する。
【０１８９】
このとき、上記端末装置は、上記表示装置に表示された上記アクセス情報を画像として直接読み取ることにより、上記アクセス情報を取得する。
【０１９０】
したがって、上記表示装置は、上記端末装置が上記表示装置の近傍に位置しなければ、上記端末装置に対して上記アクセス情報を取得させないという効果を奏する。
【０１９１】
本発明の一態様に係る端末装置は、画面管理装置の管理の下に、表示装置が有する表示画面の一部領域である占有領域の表示内容を、端末装置の指示に従って変更可能な画像表示システムを構成する端末装置であって、上記表示装置の上記占有領域に表示させるコンテンツの内容を規定するコンテンツ情報（編集情報）を、上記画面管理装置に送信するコンテンツ情報送信手段（占有領域編集部７１）を備えるとともに、上記表示装置の近傍のみで取得可能なように供給されている、取得から所定の期間だけ利用可能な初期通信アドレス（通信アドレスＡ）を含むアクセス情報（ＱＲコード）を取得するアクセス情報取得手段（ＱＲコード読取部５１）と、上記初期通信アドレスを用いて上記画面管理装置と通信することによって、上記画面管理装置に自端末装置あるいは自端末装置のユーザと上記占有領域とを紐付けさせる登録依頼手段（占有領域・時間指定部６１）とを備えている。
【０１９２】
また、本発明の一態様に係る端末装置の制御方法は、画面管理装置の管理の下に、表示装置が有する表示画面の一部領域である占有領域の表示内容を、端末装置の指示に従って変更可能な画像表示システムを構成する端末装置の制御方法であって、上記表示装置の近傍のみで取得可能なように供給されている、取得から所定の期間だけ利用可能な初期通信アドレスを含むアクセス情報を取得するアクセス情報取得ステップ（Ｓ２）と、上記初期通信アドレスを用いて上記画面管理装置と通信することによって、上記画面管理装置に自端末装置あるいは自端末装置のユーザと上記占有領域とを紐付けさせる登録依頼ステップ（Ｓ８、Ｓ９）と、上記表示装置の上記占有領域に表示させるコンテンツの内容を規定するコンテンツ情報を、上記画面管理装置に送信するコンテンツ情報送信ステップ（Ｓ４３）と、を含む。
【０１９３】
上記の構成および方法によれば、上記端末装置は、上記表示装置の近傍のみで取得可能なように供給されている、取得から所定の期間だけ利用可能な初期通信アドレスを含むアクセス情報を取得し、上記初期通信アドレスを用いて上記画面管理装置と通信することによって、上記画面管理装置に上記端末装置あるいは該端末装置のユーザと上記占有領域とを紐付けさせ、上記表示装置の上記占有領域に表示させるコンテンツの内容を規定するコンテンツ情報を、上記画面管理装置に送信する。
【０１９４】
ここで、初期通信アドレスは、取得から所定の期間だけ利用可能であるため、占有領域との紐付けのための通信は、初期通信アドレスを取得してから所定の期間内に行う必要がある。また、初期通信アドレスは、上記表示装置の近傍でのみ取得可能なアクセス情報に含まれている。それゆえ、ユーザは、初期通信アドレスを取得後、表示装置の近傍から離れることができない。したがって、初期通信アドレスを用いた通信は、紐付けするユーザを表示装置の近傍にいる人のみに制限することができる。
【０１９５】
よって、上記端末装置は、上記占有領域を有する上記表示装置の近傍であれば、上記占有領域の利用に必要な初期通信アドレスを取得できる。そして、初期通信アドレスを取得した端末装置は、それを用いることで、上記占有領域を利用することができる。これに対し、上記表示装置の近傍に位置しない端末装置は、上記アクセス情報を取得することができないため、上記占有領域を利用することができない。
【０１９６】
したがって、上記端末装置は、上記表示装置の近傍に位置するときのみ、初期通信アドレスを取得して、上記占有領域との紐付けを依頼することができ、当該表示装置の一部の領域を借り受けて、ユーザが所望のコンテンツを表示することができるという効果を奏する。
【０１９７】
また、本発明の一態様に係る画像表示システムは、上記画面管理装置と、上記表示装置と、上記端末装置とを備えている。
【０１９８】
したがって、上記画像表示システムは、上記画面管理装置が上記表示装置の近傍に位置するユーザに対し当該表示装置の一部の領域を貸し出すシステムを実現することができるという効果を奏する。
【０１９９】
なお、上記画面管理装置、上記表示装置、および、上記端末装置は、コンピュータによって実現してもよく、この場合には、コンピュータを上記各手段として動作させることにより上記画面管理装置、上記表示装置、および、上記端末装置をそれぞれコンピュータにて実現させる上記画面管理装置の制御プログラム、上記表示装置の制御プログラム、および、上記端末装置の制御プログラム、およびそれを記録したコンピュータ読み取り可能な記録媒体も、本発明の範疇に入る。
【０２００】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０２０１】
（ソフトウェアによる実現例）
最後に、サーバ１、端末装置５０、および、大画面装置１００の各ブロック、特に、サーバ１が備える端末装置側制御部２、サーバ１が備える大画面装置側制御部３、端末装置５０が備える初回登録制御部５５、および、端末装置５０が備える占有領域編集制御部５６は、集積回路（ＩＣチップ）上に形成された論理回路によってハードウェア的に実現してもよいし、ＣＰＵ（Central Processing Unit）を用いてソフトウェア的に実現してもよい。
【０２０２】
後者の場合、サーバ１、端末装置５０、および、大画面装置１００は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアであるサーバ１、端末装置５０、および、大画面装置１００の制御プログラムのプログラムコード（実行形式プログラム、中間コードプログラム、ソースプログラム）をコンピュータで読み取り可能に記録した記録媒体を、上記サーバ１、上記端末装置５０、および、上記大画面装置１００に供給し、そのコンピュータ（またはＣＰＵやＭＰＵ）が記録媒体に記録されているプログラムコードを読み出し実行することによっても、達成可能である。
【０２０３】
上記記録媒体としては、一時的でない有形の媒体（non-transitory tangible medium）、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ（登録商標）／フラッシュＲＯＭ等の半導体メモリ類、あるいはＰＬＤ（Programmable logic device）やＦＰＧＡ（Field Programmable Gate Array）等の論理回路類などを用いることができる。
【０２０４】
また、サーバ１、端末装置５０、および、大画面装置１００を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０２０５】
本発明に係る画面管理装置、表示装置、端末装置より構成される画像表示システムは、多くの人が集まる場所に設置され、多くの人が見ることができる大画面装置、当該大画面装置を管理するサーバ、および、当該サーバを介して当該大画面装置を利用する端末装置を含むシステムとして利用することができる。
【符号の説明】
【０２０６】
１  サーバ（画面管理装置）
２２  占有領域・時間登録部（登録手段、アドレス情報送信手段）
２３  編集情報取得部（コンテンツ情報取得手段）
２４  終了処理部（課金処理手段）
３０  通信アドレス変更部（通信アドレス変更手段）
３１  ＱＲコード生成部（アクセス情報生成手段）
３２  表示情報生成部（画面更新手段）
３４  占有領域更新部（画面更新手段）
５０  端末装置
５１  ＱＲコード読取部（アクセス情報取得手段）
６１  占有領域・時間指定部（登録依頼手段）
７１  占有領域編集部（コンテンツ情報送信手段）
１００  大画面装置（表示装置）
１０１  ＱＲコード表示部（アクセス情報供給手段）
１０２  占有領域表示部（占有領域表示手段）
９００  大画面管理システム（画像表示システム）
【図１】
2014075092.tif 000003
【図２】
2014075092.tif 000004
【図３】
2014075092.tif 000005
【図４】
2014075092.tif 000006
【図５】
2014075092.tif 000007
【図６】
2014075092.tif 000008
【図７】
2014075092.tif 000009
【図８】
2014075092.tif 000010
【図９】
2014075092.tif 000011